(57)【要約】【課題】プラントのデータ及び操作データの運転記録簿を自動的に作成して表示するとともに、故障等の発生箇所を図で運転記録簿に表示する。【解決手段】プラントの機器の図面２０を格納した設備台帳格納部18を備え、運転記録簿フォーマット５ａは、プラントの操作履歴データを保存するプラント操作履歴データ反映エリア６、トレンドデータ４を保存するトレンドデータ反映エリア７、トレンドデータ４における機器の故障履歴を保存する故障履歴データ反映エリア２１及び機器の故障箇所を図面で保存する故障箇所表示エリア２２を備え、プラント監視プログラムが、プラントの操作履歴データ３、トレンドデータ４及び機器の故障履歴データを運転記録簿フォーマット５ａへの自動入力を実行するとともに、機器の故障履歴及び設備台帳格納部１９を参照して機器の故障箇所の図面を運転記録簿フォーマット５ａへ自動入力する。【選択図】図１
2009223453.tif 000002
【特許請求の範囲】
【請求項１】
プラントの制御データを保存するデータベース及び運転記録簿フォーマットを格納するフォーマット格納部を備え、上記データベースのデータを上記運転記録簿フォーマットに自動入力し、上記自動入力した運転記録簿フォーマットを運転記録簿として表示するプラント監視装置において、
上記データベースは、上記プラントの操作履歴データ及び上記プラントから出力されるトレンドデ−タを保存し、
上記プラントの機器の図面を格納した設備台帳格納部を備え、
上記運転記録簿フォーマットは、上記プラントの操作履歴データを保存するプラント操作履歴データ反映エリア、上記トレンドデータを保存するトレンドデータ反映エリア、上記トレンドデータにおける上記機器の故障履歴を保存する故障履歴データ反映エリア及び上記機器の故障箇所を図面で保存する故障箇所表示エリアを備え、
上記プラントの監視制御を実行するプラント監視プログラムが、上記プラントの操作履歴データ、上記トレンドデータ及び上記トレンドデータの中の故障履歴データを上記運転記録簿フォーマットへの自動入力を実行するとともに、上記機器の故障履歴及び上記設備台帳格納部を参照して上記機器の故障箇所の図面データを上記運転記録簿フォーマットへの自動入力を実行することを特徴とするプラント監視装置。
【請求項２】
上記運転記録簿フォーマットへの自動入力の対象かどうかは信号項目ごとに決められ、
上記信号項目とその上記運転記録簿フォーマットへの自動入力の対象かどうかを表にした信号項目一覧表を表示する表示部を備え、
上記信号項目一覧表において自動入力の対象と設定された上記信号項目が自動入力されることを特徴とする請求項１に記載のプラント監視装置。
【請求項３】
上記運転記録簿フォーマットへの自動入力は信号項目で実行され、上記機器をシンボルマークで表示し、上記機器及び上記機器の計測項目に対応する上記信号項目を含むグラフィック画面を表示する表示部を備え、上記グラフィック画面から上記信号項目を選択することにより選択された信号項目が上記運転記録簿フォーマットに入力されることを特徴とする請求項１に記載のプラント監視装置。
【請求項４】
上記表示部の信号項目に入力期間を入力するようにし、上記自動入力が上記入力された入力期間内に実行されるようにしたことを特徴とする請求項２または３に記載のプラント監視装置。
【請求項５】
上記自動入力した運転記録簿フォーマットを運転記録簿として表示する時刻を指定する自動表示設定部を備え、上記指定時刻に上記運転記録簿フォーマットを運転記録簿として表示することを特徴とする請求項１に記載のプラント監視装置。
【発明の詳細な説明】
【技術分野】
【０００１】
この発明は、プラントの操作履歴データやプラントが出力するトレンドデータを収集し、データベースを構築するプラント監視装置において、プラントの運転記録簿のフォーマットを登録して操作履歴データやトレンドデータの情報を自動的に入力する運転記録簿作成支援機能を有するプラント監視装置に関するものである。
【背景技術】
【０００２】
従来、例えば、特許文献１に開示されているように、プラント監視装置において、プラント制御の操作履歴データ、プラント機器が出力するトレンドデータ及びアラーム履歴データから、所要のデータを表示する機能を有する装置がある。
【０００３】
また、例えば、特許文献２に開示されているように、トラブルレポートへ操作履歴データ及びトレンドデータを自動的に入力して自動的に文書を作成する機能を有する集中監視装置がある。
【０００４】
【特許文献１】特開２００１−１４０２５号公報（第４−５頁、図１）
【特許文献２】特開２００２−６３２３４号公報（第３頁、図１）
【発明の開示】
【発明が解決しようとする課題】
【０００５】
上記特許文献１に記載のプラント監視装置は、操作履歴データ及びトレンドデータの情報を運転記録簿へ自動的に入力する機能を持たないので、運転記録簿の作成に時間を要するという問題があった。
【０００６】
また、上記特許文献２に記載された集中監視装置は、トラブルレポートへ操作履歴データ及びトレンドデータを自動的に入力して自動的に文書を作成する機能を有するものの、各文書データを基に設備のトラブル箇所を確認する作業時間を必要とするという問題があった。
【０００７】
この発明は上記のような問題を解決するためになされたものであり、操作履歴データ及びトレンドデータを自動的に入力して、運転記録簿の作成に要する時間を削減するとともに、故障の発生箇所を運転記録簿において確認できるようにして、運転業務の効率化を図ることを目的とする。
【課題を解決するための手段】
【０００８】
この発明に係るプラント監視装置は、プラントの制御データを保存するデータベース及び運転記録簿フォーマットを格納するフォーマット格納部を備え、上記データベースのデータを上記運転記録簿フォーマットに自動入力し、上記自動入力した運転記録簿フォーマットを運転記録簿として表示するプラント監視装置において、
上記データベースは、上記プラントの操作履歴データ及び上記プラントから出力されるトレンドデ−タを保存し、
上記プラントの機器の図面を格納した設備台帳格納部を備え、
上記運転記録簿フォーマットは、上記プラントの操作履歴データを保存するプラント操作履歴データ反映エリア、上記トレンドデータを保存するトレンドデータ反映エリア、上記トレンドデータにおける上記機器の故障履歴を保存する故障履歴データ反映エリア及び上記機器の故障箇所を図面で保存する故障箇所表示エリアを備え、
上記プラントの監視制御を実行するプラント監視プログラムが、上記プラントの操作履歴データ、上記トレンドデータ及び上記トレンドデータの中の故障履歴データを上記運転記録簿フォーマットへの自動入力を実行するとともに、上記機器の故障履歴及び上記設備台帳格納部を参照して上記機器の故障箇所の図面データを上記運転記録簿フォーマットへの自動入力を実行するものである。
【発明の効果】
【０００９】
この発明に係るプラント監視装置よれば、プラントの制御データを保存するデータベース及び運転記録簿フォーマットを格納するフォーマット格納部を備え、上記データベースのデータを上記運転記録簿フォーマットに自動入力し、上記自動入力した運転記録簿フォーマットを運転記録簿として表示するプラント監視装置において、
上記データベースは、上記プラントの操作履歴データ及び上記プラントから出力されるトレンドデ−タを保存し、
上記プラントの機器の図面を格納した設備台帳格納部を備え、
上記運転記録簿フォーマットは、上記プラントの操作履歴データを保存するプラント操作履歴データ反映エリア、上記トレンドデータを保存するトレンドデータ反映エリア、上記トレンドデータにおける上記機器の故障履歴を保存する故障履歴データ反映エリア及び上記機器の故障箇所を図面で保存する故障箇所表示エリアを備え、
上記プラントの監視制御を実行するプラント監視プログラムが、上記プラントの操作履歴データ、上記トレンドデータ及び上記トレンドデータの中の故障履歴データを上記運転記録簿フォーマットへの自動入力を実行するとともに、上記機器の故障履歴及び上記設備台帳格納部を参照して上記機器の故障箇所の図面データを上記運転記録簿フォーマットへの自動入力を実行するものであるので、操作履歴データ及びトレンドデータを自動的に入力して、運転記録簿の作成に要する時間を削減するとともに、故障の発生箇所を運転記録簿において図面で確認できるようにして視覚的に見ることができるようにしたので、運転業務の効率化を図ることができる。
【発明を実施するための最良の形態】
【００１０】
以下、この発明の実施の形態を図に基づいて説明する。
実施の形態１．
従来、周知のように、プラント監視装置は、運転員の操作内容に応じたデータを生成する入力部と、入力部から出力されるデータ及び予め登録されたプラント監視プログラムに基づき、プラントの監視制御を実行するプラント監視制御部と、プラントの機器等から出力されるデータに基づき、操作画面、監視画面等を表示する表示部とを備えている。
【００１１】
図１は、この発明に係るプラント監視装置の構成の実施の形態１を示すブロック図であり、入力部、プラント監視制御部及び表示部は省略して示している。
図１に示したように、プラント監視装置１は、ハードディスクに構築するデータベース２、運転記録簿フォーマット５ａを格納するフォーマット格納部５を備え、プラント監視装置１には、機器図面等の機器情報データ２０を格納する設備台帳格納部１９が備えられている。
【００１２】
データベース２は、予めプラント監視装置１に登録されているプラント監視プログラムに基づき、プラント監視装置１を運転する運転員の操作である操作履歴データ３及び制御バスより定周期でプラントの各機器から収集されたトレンドデータ４を保存する。
【００１３】
運転記録簿フォーマット５ａは、操作履歴データ３を参照する操作履歴データ反映エリア６と、トレンドデータ４を参照するトレンドデータ反映エリア７及び故障履歴データ反映エリア２１と、トレンドデータ４及び設備台帳格納部１９を参照する故障箇所表示エリア２２を備えている。図の例では、操作履歴データ反映エリア６とトレンドデータ反映エリア７で１枚、故障履歴データ反映エリア２１と故障箇所表示エリア２２で１枚の合計２枚のフォーマットによる運転記録簿としている。
【００１４】
次に、動作について図１に基づいて説明する。
プラント監視装置１のフォーマット格納部５には、運転記録簿フォーマット５ａを予め登録する。プラント監視装置１は、表示部のグラフィック画面上での運転員による操作実行をトリガーにしてプラント監視プログラムの実行が開始され、データベース２に運転員の操作履歴データ３を蓄積する際、運転記録簿フォーマット５ａの操作履歴データ反映エリア６へも操作履歴データ３が自動入力され保存される。また、制御バスを介して定周期に収集されるデジタル値及びアナログ値の収集データをデータベース２にトレンドデータ３として蓄積する際、運転記録簿フォーマット５ａのトレンドデータ反映エリア７へも入力され保存され、また、故障履歴データ反映エリア２１にトレンドデータ３中の故障履歴データが入力され保存されるとともに、故障箇所表示エリア２２に設備台帳格納部１９の機器情報データ２０を参照して故障した機器の図面が自動入力されるとともに、故障履歴データを参照して故障発生箇所を矢印等で表示する。操作履歴データ反映エリア６、トレンドデータ反映エリア７及び故障履歴データ反映エリア２１には、運転記録簿フォーマット５ａに自動入力が必要な信号項目名をタグ名で登録する。運転終了時には、操作終了をトリガーにして運転記録簿が図示していない端末等で表示される。
【００１５】
これにより、運転記録簿をプラント監視装置１にて自動的に作成することができ、運転員の運転記録簿作成時間を削減できるとともに、故障が発生した故障履歴及び機器の故障箇所を図面で確認することができ、運転員が視覚的に見ることができるため、運転業務の効率化を図ることができる。
【００１６】
実施の形態２．
図２は、この発明に係るプラント監視装置の構成の実施の形態２を示すブロック図である。
上記実施の形態１では、運転記録簿フォーマット５ａへ自動入力する信号項目をタグ名で登録する手段について述べたが、この実施の形態２では、図２に示したように、プラント監視装置１が信号項目とその運転記録簿フォーマットへの自動入力の対象かどうかを表にした信号項目一覧８を保存し、信号項目一覧８は表示部に表示される。信号項目一覧８は、信号項目（ＤＯ，ＡＯ，ＤＩ，ＡＩ）毎に表形式で表された項目表でプラント監視装置１に保存されている。ＤＯ項目表には、汚水ポンプ１号…攪拌機２号それぞれのタグ名に運転記録簿フォーマット５ａへの入力要否を、例えば、まる、ばつで選択できるプルダウンメニュー１０が設けられ、項目表単位で選択したタグ名が登録される。ＡＯ／ＤＩ／ＡＩの項目表でも同様の選択で登録される。
【００１７】
この実施の形態２によれば、信号項目一覧８で登録する信号項目毎の項目表を選択して運転記録簿フォーマット５ａへ登録できるようにしたので、容易に運転記録簿フォーマット５ａへの登録内容を変更することができる。
【００１８】
また、プラント監視装置１を停止することなく複数のタグ名に対して同時に登録変更をすることができるため、運転業務の効率化を図ることができる。
【００１９】
実施の形態３．
図３は、この発明に係るプラント監視装置の構成の実施の形態３を示すブロック図である。
上記実施の形態２では、運転記録簿フォーマット５ａへ自動的に入力する信号項目をタグ名で登録する手段について述べたが、この実施の形態３では、図３に示したように、プラント監視装置の表示部に機器シンボルや流量、温度等の計測項目を表示したグラフィック画面１１から登録するようにする。
【００２０】
グラフィック画面１１上の機器シンボルや流量、温度等の計測項目をマウス右クリックすると、符号で表された信号項目をウインドウ１２にて表示する。ウインドウ１２内に運転記録簿フォーマット５ａへの入力要否を選択できるＤＯ，ＡＯ，ＤＩ，ＡＩといった信号項目によるプルダウンメニュー１３を設け、選択した信号項目に対応するタグ名で登録可能とする。
【００２１】
この実施の形態３によれば、ウインドウ１２でＤＯ，ＡＯ，ＤＩ，ＡＩといった信号項目を選択して信号項目に対応するタグ名を運転記録簿フォーマット５ａへ登録することで容易に運転記録簿フォーマット５ａへの入力内容を変更することができる。
【００２２】
また、プラント監視装置１を停止することなく特定の設備や機器を視覚的に把握しながら登録変更をすることができるため、運転業務の効率化を図ることができる。
【００２３】
実施の形態４．
図４及び図５は、この発明に係るプラント監視装置の構成の実施の形態４を示すブロック図である。
上記実施の形態２では、運転記録簿フォーマット５ａへ自動的に入力する信号項目を信号項目一覧から登録する手段について述べ、実施の形態３では、運転記録簿フォーマット５ａへ自動的に入力する信号項目をグラフィック画面１１の機器シンボルや計測項目から登録する手段について述べたが、この実施の形態４では、運転記録簿フォーマット５ａへ入力する自動入力期間及びこれを変更できるスケジュール機能を設ける。図４に示したように、信号項目一覧８に運転記録簿フォーマット５ａへ自動入力する入力期間を設定する設定ボタン１４を設ける。設定ボタン１４の押下により入力期間を設定できるウインドウ１５を表示する。また、図５に示したように、グラフィック画面１１に運転記録簿フォーマット５ａへ入力する入力期間を設定する設定ボタン１４を設け同様の処理を行う。入力期間内は自動入力が行われる。
【００２４】
この実施の形態４によれば、ウインドウ１５で登録された入力期間を運転記録簿フォーマット５ａへデータを書き込む際に参照することで、登録された期間内か否かによって運転記録簿フォーマット５ａへの入力内容を変更できる。
【００２５】
また、プラント監視装置１を停止することなく季節単位のスケジュールや設備更新などで重点的に管理したい入力期間を登録することができるため、必要な入力期間に必要なデータのみを運転記録簿フォーマット５ａへ入力することができ、運転業務の効率化を図ることができる。
【００２６】
実施の形態５．
図６は、この発明に係るプラント監視装置の構成の実施の形態５を示すブロック図である。
上記実施の形態１〜４では、運転記録簿フォーマット５ａへ自動入力する信号項目を登録する手段について述べたが、この実施の形態５では、図６に示したように、運転員の交代等による引き継ぎ時に運転記録簿を自動印字するなどにより表示する手段を設ける。プラント監視プログラムには自動印字プロセス１６等の表示命令が設けられ、プラント監視装置１の表示部には自動印字のボタンが設けられており、自動印字のボタンを押下することにより自動印字のメニューが表示され、メニューの指定時刻を変更することができる。指定時刻になると、プリンタ１７から運転記録簿が自動印字される。
【産業上の利用可能性】
【００２７】
この発明に係るプラント監視装置は、下水処理場、各種生産プラント等の監視制御装置に有効に利用することができる。
【図面の簡単な説明】
【００２８】
【図１】この発明に係るプラント監視装置の構成の実施の形態１を示すブロック図である。
【図２】この発明に係るプラント監視装置の構成の実施の形態２を示すブロック図である。
【図３】この発明に係るプラント監視装置の構成の実施の形態３を示すブロック図である。
【図４】この発明に係るプラント監視装置の構成の実施の形態４を示すブロック図である。
【図５】この発明に係るプラント監視装置の構成の実施の形態４を示すブロック図である。
【図６】この発明に係るプラント監視装置の構成の実施の形態５を示すブロック図である。
【符号の説明】
【００２９】
１  プラント監視装置、２  データベース、３  操作履歴データ、
４  トレンドデータ、５  フォーマット格納部、５ａ  運転記録フォーマット、
６  操作履歴データ反映エリア、７  トレンドデータ反映エリア、８  信号項目一覧、
９  項目表、１０，１３  プルダウンメニュー、１１  グラフィック画面、
１２，１５  ウインドウ、１４  設定ボタン、１６  自動印字プロセス、
１７  プリンタ、１９  設備台帳格納部、２０  機器情報データ、
２１  故障履歴データ反映エリア、２２  故障箇所表示エリア。
【図１】
2009223453.tif 000003
【図２】
2009223453.tif 000004
【図３】
2009223453.tif 000005
【図４】
2009223453.tif 000006
【図５】
2009223453.tif 000007
【図６】
2009223453.tif 000008